(57)【要約】【課題】布基礎等を設置しなくても強固な固定力を有し、ユニットハウスの施工時間を短縮することができ、しかも、使用後において抜き取りやすく再使用可能なユニットハウス用アンカー杭及びアンカー杭を備えたユニットハウスの提供を目的とする。【解決手段】持ち運び自在な小型アースオーガーＱに着脱自在な鋼製の軸部１と、該軸部１の周囲に螺旋状に設けられた回転刃２とを備えたアンカー杭１０を設ける。このアンカー杭１０を着脱自在に装着するユニットハウスＰを設ける。ユニットハウスＰの下部周囲に複数個の連結腕材２０を着脱自在に設ける。打込まれた前記アンカー杭１０の上部に該係止孔２２Ａを嵌合しスライド係止する。該係止孔２２Ａの係止位置にアンカー杭１０を着脱自在に連結する。連結腕材２０の腕部２２に開穿された平面略Ｌ字状の導入孔２２Ｂに打込み杭３０を挿入して垂直に打ち込み、杭頭部の固定片３２を腕部２２に固定する。【選択図】図１
0003133482.tif 000002
【実用新案登録請求の範囲】
【請求項１】
ユニットハウスを固定するアンカー杭において、持ち運び自在な小型アースオーガーに着脱自在な軸部と、該軸部の先端部近傍から周囲に螺旋状に設けられた回転刃とを備え、小型アースオーガーの回転操作で埋め込み及び抜き取り自在に設けたことを特徴とするユニットハウス用アンカー杭。
【請求項２】
前記回転刃は、渦巻き状の鋼製帯板からなり回転刃の引き抜き方向の引抜き面に引き抜き強度を増加せしめる凹み状の湾曲を形成するように設けられ、前記軸部の先端部近傍に設けられた小径の導入刃と、該導入刃よりも大径の刃を有する引抜き耐力刃と、回転刃の最上部に位置し引抜き耐力刃より小径の刃を有する戻り刃とを備えた請求項１記載のユニットハウス用アンカー杭。
【請求項３】
前記軸部は中実鋼材にて設けられ、該軸部の先端部を先鋭状に形成すると共に、軸部の基端部に前記小型アースオーガーに着脱自在に連結する連結部を設けた請求項１又は２記載のユニットハウス用アンカー杭。
【請求項４】
持ち運び自在な小型アースオーガーに着脱自在な軸部と、該軸部の周囲に螺旋状に設けられた回転刃とを備え、小型アースオーガーの回転操作で埋め込み及び抜き取り自在に設けられたアンカー杭を着脱自在に装着するユニットハウスにおいて、ユニットハウスの下部周囲に複数個の連結腕材を着脱自在に設け、該連結腕材にアンカー杭を着脱自在に連結すると共に、アンカー杭に沿って打込まれた水平耐力用の打込み杭を連結腕材に固定することを特徴とするアンカー杭を備えたユニットハウス。
【請求項５】
前記連結腕材は、前記ユニットハウスの下部側面に固定する固定部と、該固定部からユニットハウスの外方向に延長された腕部とからなり、該腕部の長手方向に沿って長孔状の係止孔が形成され、打込まれた前記アンカー杭の上部に該係止孔を嵌合しスライド係止すると共に、該係止孔の係止位置にアンカー杭をネジ止め固定するように設けられた請求項４記載のアンカー杭を備えたユニットハウス。
【請求項６】
前記打込み杭は、断面略Ｌ字形状の鋼材にて形成され、先鋭状の先端部と杭頭部に略水平に設けられた固定片とを有し、前記連結腕材の腕部に開穿された平面略Ｌ字状の導入孔に挿入して垂直に打込まれたあと、杭頭部の固定片を腕部に固定するように設けられた請求項４記載のアンカー杭を備えたユニットハウス。
【考案の詳細な説明】
【技術分野】
【０００１】
本考案は、布基礎等を設置しなくても強固な固定力を有し、ユニットハウスの施工時間を短縮することができるユニットハウス用アンカー杭及びアンカー杭を備えたユニットハウスに関する。
【背景技術】
【０００２】
ユニットハウスは、主に、鉄骨や木材を材料とした屋根、床、柱のフレームに断熱機能を備えたパネルを組み合わせることにより、箱型の居住空間を提供する工業製品である。このようなユニットハウスは、一般的な住居地区や工業地域において、簡単な事務所や仮設住宅などとして現在広く使用されている。
【０００３】
また、土木用建築用のアンカー杭は様々なものが存在し、また地下街や高層ビルの地盤強化のために基礎杭として使用されるが、これらは硬質地盤用が主であり、設置の際に特殊重機等の作業用機械を必要とし、一度埋設した後は上部の構造物が撤去されるまでは埋設されたままになる。
【０００４】
更に、一時的な固定に使用されるアンカー杭に関しては、使用終了後、埋設部分の周囲を掘削した上で引き抜くなどの方法が採られるが、多大な労力が必要なこともあり、埋設したままにする場合も少なくない。一方、コンクリートによる布基礎についても、撤去の際に破砕する必要があるため、再利用するという観点からは不具合を有していた。
【０００５】
ユニットハウス等の仮設住宅に関しては、通常の建築物ほど基礎の強度は必要ないので樹脂ブロック等の基礎を使用するケースが多い。ところが、台風などの強風対策のために鋼材製の基礎を使用するケースがある。この場合、鋼材製の基礎をアンカーに固定することで、転倒や位置ズレ等を防止している。しかしながら、通常の杭では引き抜き抗力が不足するおそれがあった。また、杭のみの水平耐力では限界があり、ユニットハウスの位置ズレ等を解消することはできなかった。
【０００６】
特許文献１に、布基礎にアンカーボルトで固定するユニットハウスが記載されている。この布基礎には、予め引き抜き力対抗用と剪断力対抗用のアンカーボルトを固着し、これらのアンカーボルトをユニットハウスの底部に連結することで、ユニットハウスを強固に固定している。
【０００７】
特許文献２は、ユニットハウスの柱の下に杭状基礎を埋設した構造が記載されている。この杭状基礎は、鋼管にて構成され、この鋼管の先端外面に螺旋羽根を設け、予め、ユニットハウスの柱の下に回転させて打ち込み、この杭状基礎の上にユニットハウスを連結固定するものである。
【特許文献１】特開２０００−１１０１７２号公報
【特許文献２】特開平１１−９３２７３号公報
【考案の開示】
【考案が解決しようとする課題】
【０００８】
特許文献１のように、布基礎を設けるには、布基礎の設置位置を掘削し、整地し、捨てコンクリートなどを敷設するなどの基礎工事が必要になる。ユニットハウスは、一般の建築物と比べて施工時間を短くできることが特徴なので、このような基礎工事は、ユニットハウスの利点を損なうもので好ましくない。
【０００９】
特許文献２では、布基礎の代わりに杭状基礎を埋設することで、工期を短縮できるようにしている。ところが、この杭状基礎は、ユニットハウスの柱の下に埋設することから、レベル調整作業に多くの手間を要することになる。すなわち、ユニットハウスは、杭状基礎の上に設置されるので、この杭状基礎の上端は、全て水平になるように埋設する必要がある。しかも、各柱の下にそれぞれ杭状基礎を埋設するので、この杭状基礎の数は柱の数だけ必要になり、レベル調整作業をより煩雑にしている。
【００１０】
しかも、杭状基礎とユニットハウスの連結作業はユニットハウスの床下で行うので、この連結作業においても作業性に課題を残すものであった。また、太い鋼管状の杭先端に螺旋羽根を設けたものでは、この鋼管状の杭を回転させる作業自体が困難となり、埋設した鋼管状を使用後に引き抜いて再使用することも困難である。
【００１１】
また、打ち込み式のアンカー杭を利用すると、打ち込む際に多大な労力が必要になる上に、振動や騒音が発生する問題が生じる。また、強風によるユニットハウスの位置ズレ等に関しては、杭による水平力負担は思いのほか期待できるものでなかった。
【００１２】
そこで本考案は、上述の課題を解消すべく案出されたもので、布基礎等を設置しなくても強固な固定力を有し、ユニットハウスの施工時間を短縮することができ、しかも、使用後において抜き取りやすく再使用可能なユニットハウス用アンカー杭及びアンカー杭を備えたユニットハウスの提供を目的とするものである。
【課題を解決するための手段】
【００１３】
本考案の第１の手段は、ユニットハウスＰを固定するアンカー杭１０において、持ち運び自在な小型アースオーガーＱに着脱自在な軸部１と、該軸部１の先端部近傍から周囲に螺旋状に設けられた回転刃２とを備え、小型アースオーガーＱの回転操作で埋め込み及び抜き取り自在に設けたことにある。
【００１４】
第２の手段の前記回転刃２は、渦巻き状の鋼製帯板からなり回転刃２の引き抜き方向の引抜き面２Ｄに引き抜き強度を増加せしめる凹み状の湾曲を形成するように設けられ、前記軸部１の先端部近傍に設けられた小径の導入刃２Ａと、該導入刃２Ａよりも大径の刃を有する引抜き耐力刃２Ｂと、回転刃２の最上部に位置し引抜き耐力刃より小径の刃を有する戻り刃２Cとを備えている。
【００１５】
第３の手段の前記軸部１は中実鋼材にて設けられ、該軸部１の先端部３を先鋭状に形成すると共に、軸部の基端部に前記小型アースオーガーＱに着脱自在に連結する連結部４を設けたものである。
【００１６】
第４の手段は、持ち運び自在な小型アースオーガーＱに着脱自在な軸部１と、該軸部１の周囲に螺旋状に設けられた回転刃２とを備え、小型アースオーガーＱの回転操作で埋め込み及び抜き取り自在に設けられたアンカー杭１０を着脱自在に装着するユニットハウスＰにおいて、ユニットハウスＰの下部周囲に複数個の連結腕材２０を着脱自在に設け、該連結腕材２０にアンカー杭１０を着脱自在に連結すると共に、アンカー杭１０に沿って打込まれた水平耐力用の打込み杭３０を連結腕材２０に固定することにある。
【００１７】
第５の手段の前記連結腕材２０は、前記ユニットハウスＰの下部側面に固定する固定部２１と、該固定部２１からユニットハウスＰの外方向に延長された腕部２２とからなり、該腕部２２の長手方向に沿って長孔状の係止孔２２Ａが形成され、打込まれた前記アンカー杭１０の上部に該係止孔２２Ａを嵌合しスライド係止すると共に、該係止孔２２Ａの係止位置にアンカー杭１０をネジ止め固定するように設けられたものである。
【００１８】
第６の手段の前記打込み杭３０は、断面略Ｌ字形状の鋼材にて形成され、先鋭状の先端部３１と杭頭部に略水平に設けられた固定片３２とを有し、前記連結腕材２０の腕部２２に開穿された平面略Ｌ字状の導入孔２２Ｂに挿入して垂直に打込まれたあと、杭頭部の固定片３２を腕部２２に固定するように設けられたことを課題解消のための手段とする。
【考案の効果】
【００１９】
本考案の請求項１により、小型アースオーガーＱに着脱自在な軸部１と、該軸部１の周囲に螺旋状に設けられた回転刃２とを備え、小型アースオーガーＱの回転操作で埋め込み及び抜き取り自在なアンカー杭１０を設けているので、アンカー杭１０の施工時間を短時間で行うことができる。しかも、使用後のアンカー杭１０は、小型アースオーガーＱによって簡単に抜き取ることも可能になる。
【００２０】
請求項２によると、渦巻き状の鋼製帯板からなる導入刃２Ａ、引抜き耐力刃２Ｂ、戻り刃２Ｃを設けた回転刃２により、打込み易く、引き抜き耐力に優れ、しかも抜き取り易いアンカー杭１０の提供が可能である。また、引抜き面２Ｄの湾曲により回転刃２の引き抜き強度を増加し、アンカー杭１０による固定力をより高めている。
【００２１】
請求項３では、軸部１を中実鋼材にて形成することで、小型アースオーガーＱに連結自在なアンカー杭１０となる。しかも、鋼製先端部３により軸部１の耐久性を高めることができる。また、軸部１を比較的細くできるので、ねじ込み作業を容易にする。
【００２２】
請求項４によると、ユニットハウスＰに設けた連結腕材２０にアンカー杭１０を着脱自在に連結すると共に、アンカー杭１０に沿って打込まれた水平耐力用の打込み杭３０を連結腕材２０に固定することにより、布基礎等を設置しなくても極めて強固な固定力が得られる。
【００２３】
請求項５では、打込まれた前記アンカー杭１０の上部に該係止孔２２Ａを嵌合しスライド係止すると共に、該係止孔２２Ａの係止位置にアンカー杭１０をネジ止め固定するように設けているので、アンカー杭１０と連結腕材２０との連結作業をユニットハウスＰの外側で行うことができる。この結果、連結作業が極めて容易になり、ユニットハウスの施工時間を短縮することができる。しかも、アンカー杭１０の打込み作業はユニットハウスＰの設置作業後でよいので、従来の如く、アンカー杭１０の水平レベルを正確に合わせるといった煩雑な作業を省くことができる。
【００２４】
請求項６の如く、連結腕材２０の腕部２２に開穿された平面略Ｌ字状の導入孔２２Ｂに挿入した打込み杭３０を打ち込み、杭頭部の固定片３２を腕部２２に固定するように設けているので、打込み杭３０を正確な位置に容易に打込むことができる。しかも、前記アンカー杭１０を固定している連結腕材２０に打込み杭３０を連結するので、これらの相乗効果がユニットハウスＰの引き抜き耐力と水平耐力とを高め、強固に固定することができるものである。
【００２５】
このように本考案によると、布基礎等を設置しなくても強固な固定力を有し、ユニットハウスの施工時間を短縮することができ、しかも、使用後において抜き取りやすく再使用可能になるなどといった有益な種々の効果を奏するものである。
【考案を実施するための最良の形態】
【００２６】
本考案の最良の形態は、持ち運び自在な小型アースオーガーＱに着脱自在な鋼製の軸部１と、該軸部１の周囲に螺旋状に設けられた鋼製の回転刃２とを備えたアンカー杭１０を設ける。このアンカー杭１０を着脱自在に装着するユニットハウスＰを設ける。ユニットハウスＰの下部周囲に複数個の連結腕材２０を着脱自在に設ける。打込まれた前記アンカー杭１０の上部に該係止孔２２Ａを嵌合しスライド係止すると共に、該係止孔２２Ａの係止位置にアンカー杭１０をネジ止め固定する。連結腕材２０の腕部２２に開穿された平面略Ｌ字状の導入孔２２Ｂに打込み杭３０を挿入して垂直に打ち込み、杭頭部の固定片３２を腕部２２に固定することで、当初の目的を達成するものである。
【実施例】
【００２７】
本考案アンカー杭１０の基本構成は、小型アースオーガーＱに着脱自在な連結部４を備えた軸部１と回転刃２とから成るものである。
【００２８】
アースオーガー(通称アンカードリル)とは、建設機械の一つで、モーター等を利用してスクリュー等を回転させ、地中にねじ込んで孔を掘って行く機械である。このアースオーガーには、クレーンで吊り上げて使用する大型のものから、作業員が持ち運んで使用する持ち運び自在な小型のものまである。動力は、エンジン、電動モーター、油圧式、手動もあるが、本考案で使用する小型アースオーガーＱは、電動モーター等が用いられている持ち運び自在な小型アースオーガーＱを使用し、アンカー杭１０の打込み機及び抜き取り機として利用するものである（図３参照）。また、小型アースオーガーＱの動力は任意に変更できる。図示例の小型アースオーガーＱは、スクリュー等を連結する角パイプ状のアダプタＱ１を備えたもので（図２参照）、該アダプタＱ１内部に挿入したスクリュー等の基端部に連結ボルトＱ２貫通させて連結する。
【００２９】
本考案アンカー杭１０は、この小型アースオーガーＱに着脱自在な鋼製の軸部１と、該軸部１の周囲に螺旋状に設けられた回転刃２とを備えている（図１参照）。
【００３０】
この軸部１は、中実鋼材にて設けられ、該軸部１の先端部３を先鋭状に形成している。また、軸部１に鋼製パイプ材を使用して軽量化することも可能である。更に、軸部１の材質はこのほかステンレス等の他の金属材や強化プラスチック等の使用も可能である。軸部１の径は、小型アースオーガーＱの仕様によって決定される。例えば、電動モーターを使用する小型アースオーガーＱによると、直径２２mm、長さ９００mmの軸部１であれば操作可能になる。
【００３１】
更に、軸部１の先端に先鋭状の鋼製先端部３を別体で設けてもよい。このような鋼製先端部３により、軸部１の埋め込み強度や耐久性を高めることができる。
【００３２】
一方、軸部１の基端部には、小型アースオーガーＱに連結する連結部４を設けている（図１、図２参照）。実施例では、使用する小型アースオーガーＱのアダプタＱ１に合わせて、連結ボルトＱ２を貫通させる横孔状の連結部４を設けている。また、この基端部がわに雌ねじ部１Ａを設けてあり（図１参照）、後述する連結腕材２０の腕部２２に固定する固定ナット６をネジ止めする（図９参照）。
【００３３】
回転刃２は、渦巻き状の鋼製帯板を用いることで、強靭で耐久性に優れた回転刃２を形成することができる。そして、回転刃２の引き抜き方向の引抜き面２Ｄに引き抜き強度を増加せしめる凹み状の湾曲を成すように設けたものである（図１参照）。この湾曲は、例えば、螺旋板状の回転刃２を軸部１に溶接する際に、回転刃２を強制的に湾曲させて形成する。また、回転刃２の材質も前記軸部１と同様に、ステンレス等の他の金属材や強化プラスチック等の使用も可能である。
【００３４】
更に、この回転刃２には、用途別に３種類の刃が設けられている（図１参照）。導入刃２Ａは、前記軸部１の先端部近傍から軸部１の周囲に設けられており、アンカー杭１０のねじ込み作業を容易にする。一方、引抜き耐力刃２Ｂは、軸部１の引抜き強度を高めるもので、該導入刃２Ａから延長されて導入刃２Ａよりも大径の刃を有している。更に、戻り刃２Cは、回転刃２の最上部に位置する刃で、アンカー杭１０を引き抜くときの案内となり、引き抜き作業を容易にする。この戻り刃２Cは、引抜き耐力刃２Ｂより小径の刃で形成するものである。
【００３５】
次に、本考案アンカー杭１０を装着するユニットハウスＰについて説明する。本考案で使用するユニットハウスＰは、一般的な住居地区や工業地域において、簡単な事務所や仮設住宅などとして現在広く使用されているものを予定しているが、特に、ユニットハウスＰの種類や用途、使用場所等の限定はない。
【００３６】
このユニットハウスＰの下部周囲に複数個の連結腕材２０を着脱自在に設けている（図４参照）。この連結腕材２０は、固定部２１と腕部２２とからなり、腕部２２にアンカー杭１０や打込み杭３０を連結するものである（図６参照）。
【００３７】
固定部２１は、ユニットハウスＰの下部側面にネジ止め固定する部材であり、図示例では、ユニットハウスＰの四隅近傍にねじ止めする固定部２１を設けている（図4、図５参照）。このとき、ユニットハウスＰ側のねじ孔を長孔状に形成することで、アンカー杭１０を腕部２２で支持しながら固定部２１を固定する際に好適である（図示せず）。この固定部２１は、ユニットハウスＰの仕様に応じたものを適宜使用することができる。
【００３８】
腕部２２は、固定部２１からユニットハウスＰの外方向に延長された部材で、係止孔２２Ａと導入孔２２Ｂとが設けられている（図７参照）。図示例の腕部２２は、断面倒コ字状を成す型鋼を用いており、水平面に係止孔２２Ａと導入孔２２Ｂとを併設したものである（図７〜図９参照）。
【００３９】
係止孔２２Ａは、腕部２２の長手方向に沿って長孔状に形成されている。そして、打込まれた前記アンカー杭１０の上部に該係止孔２２Ａを嵌合しスライド係止すると共に、該係止孔２２Ａの係止位置にアンカー杭１０をネジ止め固定するように設けられたものである（図６、図７参照）。この状態で、前記固定部２１をユニットハウスＰの下部側面にねじ止め固定し、最後にアンカー杭１０の上下から座金５と固定ナット６にて腕部２２に固定するものである（図９参照）。また、腕部２２には、平面略Ｌ字状の導入孔２２Ｂが開穿されている（図７参照）。そして、この導入孔２２Ｂに打込み杭３０を挿入して腕部２２に固定する。
【００４０】
打込み杭３０は、断面略Ｌ字形状の鋼材にて形成された部材で、先端部３１を先鋭状に形成している（図８参照）。また、打込み杭３０の杭頭部に、略板体状の固定片３２を略水平に設けてあり、この固定片３２をハンマー等で打込むものである。また、所定の深さまで打込んだ後は、この固定片３２と腕部２２とを連結するものである。図示例では、腕部２２に開穿したボルト孔２２Cと、固定片３２に開穿したボルト孔３２Ａに連結ボルト２３を挿通して固定するものである（図７参照）。
【００４１】
本考案アンカー杭１０をユニットハウスＰに連結する手順は次のとおりである。まず、ユニットハウスＰそばの所定位置に、小型アースオーガーＱにてアンカー杭１０を埋め込む（図３参照）。次に、埋め込んだアンカー杭１０の頭部側面に連結腕材２０の腕部２２に設けた係止孔２２Ａを嵌合係止させ、この状態で連結腕材２０の固定部２１をユニットハウスＰに固定する。更に、予めアンカー杭１０にねじ止めしていた固定ナット６と後からネジ止めする固定ナット６でアンカー杭１０と腕部２２とを連結固定する（図９参照）。その後、腕部２２の導入孔２２Ｂに打込み杭３０を挿入し、ハンマー等で打込み杭３０の固定片３２を打ち込み、該固定片３２と腕部２２とを連結ボルト２３で固定して完了する（図６参照）。
【００４２】
尚、本考案における図示例の各構成は、本考案の一実施例に過ぎず、本考案の要旨を逸脱しない範囲において、形状、寸法等の設計変更、材質の転換及び形態の変更など、現在知られている技術範囲で自由に変更することができるものである。
【図面の簡単な説明】
【００４３】
【図１】本考案アンカー杭の一実施例を示す正面図である。
【図２】本考案で使用する小型アースオーガーの一実施例を示す正面図である。
【図３】本考案アンカー杭の操作状態を示す正面図である。
【図４】本考案ユニットハウスの一実施例を示す正面図である。
【図５】本考案ユニットハウスの一実施例を示す側面図である。
【図６】本考案ユニットハウスとアンカー杭との連結状態を示す要部正面図である。
【図７】本考案連結腕材の一実施例を示す平面図である。
【図８】本考案の打込み杭の一実施例を示す正面図である。
【図９】本考案アンカー杭と連結腕材との連結状態を示す要部側面図である。
【符号の説明】
【００４４】
Ｐ  ユニットハウス
Ｑ  小型アースオーガー
Ｑ１ アダプタ
１  軸部
１Ａ 雌ねじ部
２  回転刃
２Ａ 導入刃
２Ｂ 引抜き耐力刃
２Ｃ 戻り刃
２Ｄ 引抜き面
３  先端部
４  連結部
５  座金
６  固定ナット
１０  アンカー杭
２０  連結腕材
２１  固定部
２２  腕部
２２Ａ  係止孔
２３  連結ボルト
３０  打込み杭
３１  先端部
３２  固定片
【図１】
0003133482.tif 000003
【図２】
0003133482.tif 000004
【図３】
0003133482.tif 000005
【図４】
0003133482.tif 000006
【図５】
0003133482.tif 000007
【図６】
0003133482.tif 000008
【図７】
0003133482.tif 000009
【図８】
0003133482.tif 000010
【図９】
0003133482.tif 000011